(57)【特許請求の範囲】
【請求項１】
複数個の缶詰を各缶詰の上端を別の缶詰の下端に接触させた状態で水平方向に配列させ、これらの缶詰に略長方形状の集積シュリンク包装用フィルムを被せ、該集積シュリンク包装用フィルムには集積包装内の各缶詰に付せられているバーコードを読み取り不能に遮蔽するためのバーコード遮蔽印刷を施すと共に集積包装内の全缶詰に対応する単一のバーコードを設け、該集積シュリンク包装用フィルムの対応縁をシールして該集積シュリンク包装用フィルムを複数個の缶詰を囲む略円筒状に形成し、該集積シュリンク包装用フィルムの両端をシールすることにより複数個の缶詰を集積シュリンク包装用フィルム内に密閉し、該集積シュリンク包装用フィルムの両端における両側部にはツノ状の突出部があらわれるようになし、集積シュリンク包装用フィルムをシュリンク装置により収縮させ、各ツノ状の突出部が小塊状部になるようにした集積シュリンク包装において、
該バーコード遮蔽印刷は、集積シュリンク包装用フィルムを収縮させたときの該集積シュリンク包装用フィルムにおける一端の小塊状部（９ａ）から他端の対応小塊状部（９ａ）に連なる側面部分（１３）となるべき部分（１３’）又はその近傍部（１５）におけるバーコード遮蔽印刷の長さ方向の寸法を当該部分（１３’）又はその近傍部（１５）におけるバーコード遮蔽印刷が収縮後に所定の寸法となるように予め長目に変形させた状態で形成したことを特徴とする、缶詰の集積シュリンク包装用フィルムに対するバーコード遮蔽印刷の形成方法。
【請求項２】
前記バーコード遮蔽印刷は、集積シュリンク包装用フィルムを収縮させたときの該集積シュリンク包装用フィルムにおける一端の小塊状部（９ａ）から他端の対応小塊状部（９ａ）に連なる側面部分（１３）となるべき部分（１３’）に最も近い部分（１３”）における長さ方向の寸法が最大であり、当該最も近い部分（１３”）から他の部分に向かって長さ方向の寸法が徐々に小さくなるように変形させたことを特徴とする請求項１の缶詰の集積シュリンク包装用フィルムに対するバーコード遮蔽印刷の形成方法。
【発明の詳細な説明】
【０００１】
【発明の属する技術分野】
本発明は缶詰の集積シュリンク包装用フィルムに対するバーコード遮蔽印刷の形成方法に関するものである。
【０００２】
【従来の技術】
缶詰はしばしば複数個を積み重ねた状態で集積シュリンク包装されるが、この場合には、店頭販売時におけるバーコードの読み取り作業を容易ならしめるために、集積包装内の各缶詰に付せられているバーコードを集積シュリンク包装用フィルムに予め施されたバーコード遮蔽印刷により読み取り不能に遮蔽すると共に該集積シュリンク包装用フィルムには集積包装内の全缶詰に対応する単一のバーコードを設け、店頭販売時には集積包装内の各缶詰のバーコードを読み取る代わりに当該単一のバーコードのみを読み取るようにしている。
【０００３】
複数個の缶詰を積み重ねた状態で集積シュリンク包装する作業は次のようにして行われる。図５、図６、図７参照。
▲１▼複数個の缶詰１を各缶詰１の上端（上面）を別の缶詰１の下端（底部）に接触させた状態で水平方向に配列させる。
▲２▼これらの缶詰１に長方形状の集積シュリンク包装用フィルム３を被せる。
▲３▼該集積シュリンク包装用フィルム３の対応縁をシールして該集積シュリンク包装用フィルム３を複数個の缶詰１を囲む略円筒状に形成する。集積シュリンク包装用フィルム３の対応縁をシールすることによりセンターシール５が形成される。図５参照。
▲４▼略円筒状に形成された集積シュリンク包装用フィルム３の両端をシールすることにより複数個の缶詰１を集積シュリンク包装用フィルム３内に密閉する。集積シュリンク包装用フィルム３の両端をシールすることにより端部シール７が形成される。このとき、集積シュリンク包装用フィルム３の両端における両側部にはツノ状の突出部９があらわれる。図６参照。
▲５▼複数個の缶詰１を密閉している集積シュリンク包装用フィルム３をシュリンク装置により収縮させる。集積シュリンク包装用フィルム３の収縮に伴い、ツノ状の突出部９は固まって小塊状部９ａとなる。図７参照。なお、集積シュリンク包装用フィルム３の収縮を可能ならしめるために、該集積シュリンク包装用フィルム３には予め空気抜き用の小孔（図示せず。）が形成されている。
【０００４】
集積シュリンク包装用フィルム３の表面には、例えば図４に示すように、集積包装内の各缶詰１に付せられているバーコード４を読み取り不能に遮蔽するためのバーコード遮蔽印刷１１が予め施されていると共に集積包装内の全缶詰１に対応する単一のバーコード６が設けられている。
【０００５】
【発明が解決しようとする課題】
しかるに、集積シュリンク包装用フィルム３に施されたバーコード遮蔽印刷１１は、集積包装後、図２に示す如く変形するという問題がある。即ち、該バーコード遮蔽印刷１１は集積シュリンク包装用フィルム３の各端部における小塊状部９ａ附近の部分が該小塊状部９ａから離れる方向に変形するのである。このようなバーコード遮蔽印刷１１の変形は集積包装の体裁を損なうことになる。
本発明は、缶詰の集積シュリンク包装用フィルムに対するバーコード遮蔽印刷の形成方法に改良を加えることにより、上述の問題を解決しようとするものである。
【０００６】
【課題を解決するための手段】
上述の問題は、シュリンク包装時における集積シュリンク包装用フィルム各部の収縮率が異なることに起因するものと思われる。即ち、本発明者は、鋭意検討の結果、複数個の缶詰を密閉している集積シュリンク包装用フィルムをシュリンク装置により収縮させる際に、略円筒状の集積シュリンク包装用フィルムにおける収縮率は、一端の小塊状部から他端の対応小塊状部に連なる側面部分の長さ方向が最大となり、他の部分の収縮率は当該側面部分から離れる程徐々に小さくなることに気付き、このことによりバーコード遮蔽印刷の変形が生じているものと判断した。
【０００７】
そこで、本発明は、集積シュリンク包装用フィルムをシュリンク装置により収縮させる際の該集積シュリンク包装用フィルムの変形状態を予測し、この予測に基づいて該集積シュリンク包装用フィルムにバーコード遮蔽印刷を変形状態で施すことにより、該集積シュリンク包装用フィルムの収縮後に該バーコード遮蔽印刷が変形のない所定の形状になるようにしたものである。
【０００８】
即ち、本発明は下記の如きの缶詰の集積シュリンク包装用フィルムに対するバーコード遮蔽印刷の形成方法を提供する。
【０００９】
（１）複数個の缶詰を各缶詰の上端を別の缶詰の下端に接触させた状態で水平方向に配列させ、これらの缶詰に略長方形状の集積シュリンク包装用フィルムを被せ、該集積シュリンク包装用フィルムには集積包装内の各缶詰に付せられているバーコードを読み取り不能に遮蔽するためのバーコード遮蔽印刷を施すと共に集積包装内の全缶詰に対応する単一のバーコードを設け、該集積シュリンク包装用フィルムの対応縁をシールして該集積シュリンク包装用フィルムを複数個の缶詰を囲む略円筒状に形成し、該集積シュリンク包装用フィルムの両端をシールすることにより複数個の缶詰を集積シュリンク包装用フィルム内に密閉し、該集積シュリンク包装用フィルムの両端における両側部にはツノ状の突出部があらわれるようになし、集積シュリンク包装用フィルムをシュリンク装置により収縮させ、各ツノ状の突出部が小塊状部になるようにした集積シュリンク包装において、
該バーコード遮蔽印刷は、集積シュリンク包装用フィルムを収縮させたときの該集積シュリンク包装用フィルムにおける一端の小塊状部から他端の対応小塊状部に連なる側面部分となるべき部分又はその近傍部におけるバーコード遮蔽印刷の長さ方向の寸法を当該部分又はその近傍部におけるバーコード遮蔽印刷が収縮後に所定の寸法となるように予め長目に変形させた状態で形成したことを特徴とする、缶詰の集積シュリンク包装用フィルムに対するバーコード遮蔽印刷の形成方法（請求項１）。
【００１０】
（２）前記バーコード遮蔽印刷は、集積シュリンク包装用フィルムを収縮させたときの該集積シュリンク包装用フィルムにおける一端の小塊状部から他端の対応小塊状部に連なる側面部分となるべき部分に最も近い部分における長さ方向の寸法が最大であり、当該最も近い部分から他の部分に向かって長さ方向の寸法が徐々に小さくなるように変形させる（請求項２）。
【００１１】
特許請求の範囲を含む本明細書において「長さ方向」とは集積シュリンク包装用フィルムを収縮させたときの該集積シュリンク包装用フィルムにおける一端から他端に向かう方向、即ち図１、図２における上下方向をいう。
【００１２】
【作用】
［請求項１のバーコード遮蔽印刷の形成方法］
請求項１のバーコード遮蔽印刷の形成方法においては、バーコード遮蔽印刷は、集積シュリンク包装用フィルムを収縮させたときの該集積シュリンク包装用フィルムにおける一端の小塊状部から他端の対応小塊状部に連なる側面部分となるべき部分又はその近傍部におけるバーコード遮蔽印刷の長さ方向の寸法を当該部分又はその近傍部におけるバーコード遮蔽印刷が収縮後に所定の寸法となるように予め長目に変形させた状態で形成されている。従って、集積シュリンク包装用フィルムが収縮により変形するにもかかわらず、該集積シュリンク包装用フィルムに施されたバーコード遮蔽印刷は集積シュリンク包装用フィルムの収縮後においては変形のない所定の形状となる。
【００１３】
［請求項２のバーコード遮蔽印刷の形成方法］
請求項２のバーコード遮蔽印刷の形成方法においては、バーコード遮蔽印刷は、集積シュリンク包装用フィルムを収縮させたときの該集積シュリンク包装用フィルムにおける一端の小塊状部から他端の対応小塊状部に連なる側面部分となるべき部分に最も近い部分における長さ方向の寸法が最大であり、当該最も近い部分から他の部分に向かって長さ方向の寸法が徐々に小さくなるように変形させた状態で形成されている。従って、集積シュリンク包装用フィルムが収縮により変形するにもかかわらず、該集積シュリンク包装用フィルムに施されたバーコード遮蔽印刷は集積シュリンク包装用フィルムの収縮後においてはより確実に変形のない所定の形状となる。蓋し、集積シュリンク包装用フィルムにおける収縮率は、一端の小塊状部から他端の対応小塊状部に連なる側面部分の長さ方向が最大となり、他の部分の収縮率は当該側面部分から離れる程徐々に小さくなるからである。
【００１４】
【発明の実施の形態】
次に、本発明の実施の形態を添付図面に従って説明する。
本発明は缶詰の集積シュリンク包装に適用されるものである。この集積シュリンク包装は、上記従来におけるものと同じであるが、再度簡単に説明すると、複数個の缶詰１を各缶詰１の上端を別の缶詰１の下端に接触させた状態で水平方向に配列させ、これらの缶詰１に略長方形状の集積シュリンク包装用フィルム３を被せ、該集積シュリンク包装用フィルム３には集積包装内の各缶詰１に付せられているバーコード４を読み取り不能に遮蔽するためのバーコード遮蔽印刷１１を施すと共に集積包装内の全缶詰１に対応する単一のバーコー６ドを設け、該集積シュリンク包装用フィルム３の対応縁をシールして該集積シュリンク包装用フィルム３を複数個の缶詰１を囲む略円筒状に形成し、該集積シュリンク包装用フィルム３の両端をシールすることにより複数個の缶詰１を集積シュリンク包装用フィルム３内に密閉し、該集積シュリンク包装用フィルム３の両端における両側部にはツノ状の突出部９があらわれるようになし、集積シュリンク包装用フィルム３をシュリンク装置により収縮させ、各ツノ状の突出部９が固まって小塊状部９ａになるようにしてなるものである。集積シュリンク包装用フィルム３としては、例えば４０〜６０μｍ厚の２軸延伸ポリエチレンフィルムが用いられる。
【００１５】
しかして、本発明においては、前記バーコード遮蔽印刷１１は、集積シュリンク包装用フィルム３を収縮させたときの該集積シュリンク包装用フィルム３における一端の小塊状部９ａから他端の対応小塊状部９ａに連なる側面部分１３となるべき部分１３’又はその近傍部１５におけるバーコード遮蔽印刷１１の長さ方向の寸法を当該部分１３’又はその近傍部１５におけるバーコード遮蔽印刷が収縮後に所定の寸法となるように予め長目に変形させた状態で形成する。図示の事例におけるバーコード遮蔽印刷１１は集積包装内の各缶詰１に付せられているバーコード４と略平行な直線模様であるが、バーコード遮蔽印刷１１は集積包装内の各缶詰１に付せられているバーコード４を読み取り不能に遮蔽し得るものであればいかなるものであってもよい。
【００１６】
前記バーコード遮蔽印刷１１は、集積シュリンク包装用フィルム３を収縮させたときの該集積シュリンク包装用フィルム３における一端の小塊状部９ａから他端の対応小塊状部９ａに連なる側面部分１３となるべき部分１３’に最も近い部分１３”（図３参照）における長さ方向の寸法が最大であり、当該最も近い部分１３”から他の部分に向かって長さ方向の寸法が徐々に小さくなるように変形させた状態で形成するすることが望ましい。
【００１７】
【発明の効果】
［請求項１のバーコード遮蔽印刷の形成方法］
請求項１のバーコード遮蔽印刷の形成方法においては、集積シュリンク包装用フィルムが収縮により変形するにもかかわらず、該集積シュリンク包装用フィルムに施されたバーコード遮蔽印刷は集積シュリンク包装用フィルムの収縮後においては変形のない所定の形状となる。従って、集積包装の外観は向上する。
【００１８】
［請求項２のバーコード遮蔽印刷の形成方法］
請求項２のバーコード遮蔽印刷の形成方法においては、集積シュリンク包装用フィルムが収縮により変形するにもかかわらず、該集積シュリンク包装用フィルムに施されたバーコード遮蔽印刷は集積シュリンク包装用フィルムの収縮後においてはより確実に変形のない所定の形状となる。従って、集積包装の外観は一層向上する。
【図面の簡単な説明】
【図１】本発明の方法により形成されたバーコード遮蔽印刷を備えた集積シュリンク包装用フィルムを用いた集積包装の一例を示す斜視図である。
【図２】従来の方法により形成されたバーコード遮蔽印刷を備えた集積シュリンク包装用フィルムを用いた集積包装の一例を示す斜視図である。
【図３】本発明の方法により形成されたバーコード遮蔽印刷を備えた集積シュリンク包装用フィルムの一例を示す平面図である。
【図４】従来の方法により形成されたバーコード遮蔽印刷を備えた集積シュリンク包装用フィルムの一例を示す平面図である。
【図５】集積シュリンク包装作業を示す斜視図である。
【図６】集積シュリンク包装作業を示す別の斜視図である。
【図７】集積シュリンク包装作業を示す更に別の斜視図である。
【符号の説明】
１  缶詰
３  集積シュリンク包装用フィルム
４  バーコード
５  センターシール
６  バーコード
７  端部シール
９  突出部
９ａ  小塊状部
１１  バーコード遮蔽印刷
１３  側面部分
１３’  側面部分となるべき部分
１３” 側面部分となるべき部分に最も近い部分
１５  近傍部
【図１】
0004111634.tif 000002
【図２】
0004111634.tif 000003
【図３】
0004111634.tif 000004
【図４】
0004111634.tif 000005
【図５】
0004111634.tif 000006
【図６】
0004111634.tif 000007
【図７】
0004111634.tif 000008